(57)【要約】【課題】  記録画像のうち、未再生の画像を簡単な操作で選択的に再生可能とする。【解決手段】  リムーバブルメモリに記録される画像の再生に従い、再生済み画像と未再生画像を識別する再生履歴情報をリムーバブルメモリに記録し、未再生画像優先再生モードでは、再生履歴情報を参照して、未再生画像を優先再生する。【選択図】  図８
2006060778.tif 000002
【特許請求の範囲】
【請求項１】
リムーバブルメモリに記録順に所定の命名規則に従うファイル名で記録された画像を再生する画像再生装置であって、
前記リムーバブルメモリに記録される画像の再生に従い、再生済み画像と未再生画像を識別する再生履歴情報を前記リムーバブルメモリに記録する履歴記録手段と、
未再生画像優先再生モードでは、前記再生履歴情報を参照して、未再生画像を優先再生する再生手段
とを具備することを特徴とする画像再生装置。
【請求項２】
前記再生手段は、未再生画像を時系列に順方向に自動再生することを特徴とする請求項１に記載の画像再生装置。
【請求項３】
前記リムーバブルメモリは半導体メモリからなる請求項１に記載の画像再生装置。
【請求項４】
更に、起動時に前記未再生画像優先再生モードを実行するか否かを選択する手段を具備することを特徴とする請求項１乃至３の何れか１項に記載の画像再生装置。
【請求項５】
未再生画像がない場合には、前記リムーバブルメモリに記録されている全画像を再生対象とする通常再生モードに移行することを特徴とする請求項４に記載の画像再生装置。
【請求項６】
前記一定の命名規則は、リムーバブルメモリに記録した順序に従って連続した番号をファイル名に付加する規則であり、
前記再生履歴は、再生済みファイルのなかで一番大きな番号を付加された画像ファイルの名称と、そのファイルの格納ディレクトリ名であることを特徴とする請求項１に記載の画像再生装置。
【請求項７】
前記再生履歴情報の対象となるファイル数を指定する指定手段をさらに有することを特徴とする請求項１に記載の画像再生装置。
【請求項８】
撮影モードにおいて新しく画像が得られた場合、前記指定されたファイル数に基づき、前記再生履歴情報を更新する更新手段をさらに有することを特徴とする請求項７に記載の画像再生装置。
【請求項９】
リムーバブルメモリに記録順に所定の命名規則に従うファイル名で記録された画像を再生する画像再生方法であって、
前記リムーバブルメモリに記録される画像の再生に従い、再生済み画像と未再生画像を識別する再生履歴情報を前記リムーバブルメモリに記録する履歴記録工程と、
未再生画像優先再生モードでは、前記再生履歴情報を参照して、未再生画像を優先再生する再生工程
とを具備することを特徴とする画像再生方法。
【発明の詳細な説明】
【技術分野】
【０００１】
本発明は、動画像及び静止画像等の画像を再生する技術に関し、より具体的には、デジタルカメラ、カメラ一体型記録再生装置及び再生専用機等の画像再生装置及び画像再生方法に関する。
【背景技術】
【０００２】
デジタルカメラ及びディジタルビデオカムコーダ等の画像再生装置には、リムーバブルメディアに静止画像と動画像の何れも記録再生できるものがある。再生モードにおいて、特にユーザが再生対象の画像を指定しなくても、直近に記録（撮影）された静止画像又は動画像を自動的に再生する機能を有する画像再生装置もある。
【０００３】
また、このような画像再生装置の記録媒体に記録された静止画像の閲覧方法として、１画面に１画像を表示し、表示画像を画像送り操作又は画像戻し操作により順に切り替える方法がある。その他に、複数の画像を一画面中に同時に表示する方法（インデックス表示）、及び、記録画像を順次、切り替えて表示する方法（スライドショー表示）もある（特許文献１参照）。
【特許文献１】特開２００３−３３９０１２号公報
【発明の開示】
【発明が解決しようとする課題】
【０００４】
近年、リムーバブルメモリの大容量化に伴い、大量の静止画像ファイル及び動画像ファイルを画像再生装置の記録媒体に記録できるようになっている。このような記録媒体の画像を再生する場合、最近、撮影した静止画像ファイル・動画像ファイル群を再生することが困難である。
【０００５】
例えば、スライドショー機能はリムーバブルメモリに書き込まれた全ての静止画像ファイル・動画像ファイルを対象としており、全ての静止画像データを順次、表示していく。このため、最近、撮影した静止画像ファイル・動画像ファイルだけを選択的に閲覧することが困難である。
【０００６】
また、従来の画像再生装置には、未再生の静止画・動画ファイルだけを抽出して素早く再生する機能を具備するものは無い。
【０００７】
本発明は、記録画像のうち、未再生の画像を簡単な操作で選択的に再生可能な画像再生装置及び画像再生方法を提示することを目的とする。
【課題を解決するための手段】
【０００８】
上述した目的を達成するために、本発明の画像再生装置は、リムーバブルメモリに記録順に所定の命名規則に従うファイル名で記録された画像を再生する画像再生装置であって、前記リムーバブルメモリに記録される画像の再生に従い、再生済み画像と未再生画像を識別する再生履歴情報を前記リムーバブルメモリに記録する履歴記録手段と、未再生画像優先再生モードでは、前記再生履歴情報を参照して、未再生画像を優先再生する再生手段とを具備することを特徴とする。
【０００９】
また、本発明の画像再生方法は、リムーバブルメモリに記録順に所定の命名規則に従うファイル名で記録された画像を再生する画像再生方法であって、前記リムーバブルメモリに記録される画像の再生に従い、再生済み画像と未再生画像を識別する再生履歴情報を前記リムーバブルメモリに記録する履歴記録工程と、未再生画像優先再生モードでは、前記再生履歴情報を参照して、未再生画像を優先再生する再生工程とを具備することを特徴とする。
【発明の効果】
【００１０】
本発明によれば、リムーバブルメモリに格納されている画像の内、未再生画像を選択的に再生することが可能になり、未再生画像を迅速に確認できるようになる。
【発明を実施するための最良の形態】
【００１１】
以下、図面を参照して、本発明の実施形態を詳細に説明する。
【００１２】
（第１の実施形態）
図１は、本発明に係る画像再生装置の概略構成を示すブロック図である。１は被写体を映像信号に変換する撮像部、２は画像信号処理部、３は画像信号処理部２により処理された映像信号を表示するモニタである。また、４は静止画像・動画像の圧縮伸長部、５はメモリカード６とのインターフェースである。メモリカード６は画像をファイルとして記録可能なリムーバブルメモリである。
【００１３】
７は本体全体を制御するシステムコントローラ、８はユーザが操作する操作スイッチである。操作スイッチ８は、フォトスイッチＳＷ０１、メニュースイッチＳＷ０２、メニュー中の項目を上方向へ移動し選択するスイッチＳＷ０３、メニュー中の項目を下方向へ移動し選択するスイッチＳＷ０４、及び選択項目決定スイッチＳＷ０５等を具備する。
【００１４】
ＳＷ０６は、再生モードを起動させるモードスイッチ、ＳＷ０７は、撮影モードを起動させる撮影モードスイッチである。ＳＷ０８は、手動で順方向に画像送り再生を行うための順方向スイッチ、ＳＷ０９は、手動で逆方向に画像送り再生を行うための逆方向スイッチである。
【００１５】
図２は、リムーバブルメモリ６に記録されているファイル構成例を示す。撮影された順にディレクトリ名及びファイル名に付加される番号が大きくなる。撮影された順番にファイルを送る場合と、その逆の場合を矢印で示す。ここでは、再生されたファイルを記録するテンポラリファイルが、リムーバブルメモリ６の独自ディレクトリ“ｐｌａｙｔｅｍｐ”に格納される。
【００１６】
図３は、ディレクトリ“ｐｌａｙｔｅｍｐ”内にあるファイル“ｐｌａｙｈｉｓ．ｔｍｐ”の内部構成を示す。図３に示す例では、ディレクトリ“２０１ＡＢＣＤ”のファイル“ＩＭＧ＿０２０５．ＪＰＧ”以降の画像ファイルが未再生の画像ファイルであることを示している。
【００１７】
次に、本実施形態で、未再生の画像ファイル（静止画像ファイル又は動画像ファイル）を優先的に再生するモードの設定方法を説明する。
【００１８】
メニュースイッチＳＷ０２を押すと、図４に示すメニュー画面がモニタ３上に表示される。スイッチＳＷ０３，ＳＷ０４を操作して、項目「カード設定」を選択し、選択項目決定スイッチＳＷ０５を押す。これにより、図５に示す画面がモニタ３上に表示される。
【００１９】
図５に示す画面が表示されている状態で、スイッチＳＷ０３，ＳＷ０４により項目「未再生画像優先」を選択し、選択項目決定スイッチＳＷ０５を押す。これにより、図６に示す画面がモニタ３上に表示される。この状態で、スイッチＳＷ０３，ＳＷ０４により、図７に示すように、項目「する」を選択し、メニュースイッチを再度押す。これにより、「未再生画像優先」再生モードを指定したことになる。
【００２０】
図８は、再生モードスイッチＳＷ０６をＯＮとした再生モードで電源投入した場合の再生動作のフローチャートを示す。
【００２１】
ステップＳ００では、システムコントローラ７は、再生モードで電源投入と共にリムーバブルメモリ６内の解析を行い、ディレクトリ及び画像ファイルの認識を行う。
【００２２】
ステップＳ０１では、システムコントローラ７は、未再生画像を優先再生するモードであるか否かを判断する。再生モード設定情報は、電源オフの状態でもシステムコントローラ７の内部メモリにおいて保持されているものである。
【００２３】
ステップＳ０２では、未再生画像優先再生モードの場合、システムコントローラ７は、リムーバブルメモリ６の”ｐｌａｙｈｉｓ．ｔｍｐ”に記録されている再生された最大ディレクトリ名と最大ファイル名と、ステップＳ００で解析した結果とを比較する。比較した結果、”ｐｌａｙｈｉｓ．ｔｍｐ”の最大ディレクトリ名と最大ファイル名よりも後に記録されたファイルを、未再生の静止画像ファイル・動画像ファイルとして検出する。
【００２４】
ステップＳ０３では、システムコントローラ７は、未再生の画像ファイルが検出されたかどうかを判断する。
【００２５】
ステップＳ０４では、システムコントローラ７は、未再生の画像ファイル中の古いファイル名の画像ファイルを再生する。図２の例では、”ｐｌａｙｈｉｓ．ｔｍｐ”の最大ファイル名が“ＩＭＧ＿２０５．ＪＰＧ”であるので、“ＩＭＧ＿２０６．ＪＰＧ”を再生する。
【００２６】
ステップＳ０５では、未再生画像優先再生モードで再生されたファイルに対して”ｐｌａｙｈｉｓ．ｔｍｐ”の再生済みファイルの最大ディレクトリ名及び最大ファイル名を更新する。図２の例では、”ｐｌａｙｈｉｓ．ｔｍｐ”に、最大ファイル名“ＩＭＧ＿２０６．ＪＰＧ”が記録される。
【００２７】
ステップＳ０３において、未再生画像優先再生モードであっても、未再生のファイルがない場合に、ステップＳ０６で未再生画像優先モードを解除する。
【００２８】
ステップＳ０１で未再生画像優先再生モードでなければ、システムコントローラ７は、ステップＳ２０７で従来通り、最後の画像ファイル（“ＩＭＧ＿３００．ＪＰＧ”）を再生する。
【００２９】
図９は、未再生画像優先再生モード時の画像送り再生を行うフローチャートを示す。
【００３０】
この画像送り再生は、撮影モードで動作時にスイッチＳＷ０６を操作することにより再生モードへの切替えた後に実行可能である。画像送りは再生モードにおいて、スイッチＳＷ０８及びＳＷ０９を操作することにより、１つずつ手動で送るようにしても、スライドショー再生を指示することにより自動連続再生させるようにしてもよい。スライドショーは、再生モードにおいてメニュースイッチＳＷ０２を操作することにより設定画面が表示されるので、その画面でスイッチＳＷ０５による指示を入力することにより実行できる。
【００３１】
ステップＳ１０では、システムコントローラ７は、未再生画像優先再生モードかどうかを確認する。ステップＳ１１では、システムコントローラ７は、画像送りが順方向か逆方向かを判断する。逆方向のスイッチ入力の場合は、動作しない。
【００３２】
ステップＳ１２では、システムコントローラ７は、順方向の未再生画像を検出する。なお、図８のＳ００のファイル解析は、装置起動時、または再生モードへの移行時において予め実行されているものとする。
【００３３】
図２の例では、順方向スイッチＳＷ０８の押下に応じて、ファイル“ＩＭＧ＿０１０１．ＪＰＧ”から順に”ｐｌａｙｈｉｓ．ｔｍｐ”の内容と比較していく。そして、”ｐｌａｙｈｉｓ．ｔｍｐ”のファイル名と一致する“ＩＭＧ＿０２０５．ＪＰＧ”の後の“ＩＭＧ＿０２０６．ＪＰＧ”以降の画像ファイルを未再生画像ファイルとして検出する。
【００３４】
ステップＳ１３では、システムコントローラ７は、検出された未再生画像ファイル“ＩＭＧ＿０２０６．ＪＰＧ”を再生する。スライドショー設定がされている場合は、その後の画像ファイルを連続的に再生する。
【００３５】
ステップＳ１４では、システムコントローラ７は、Ｐｌａｙｈｉｓ．ｔｍｐ”の再生済み最大ファイル名を“ＩＭＧ＿０２０６．ＪＰＧ”に更新する。スライドショー設定がされていた場合は、スライドショー表示された最後の画像のファイル名に変更する。
【００３６】
ステップＳ１０で未再生画像優先再生モードでない場合、ステップＳ１５で、画像送りが順方向か逆方向かを判断する。
【００３７】
ステップＳ１６では、通常再生の順方向送りでファイルを再生する。この場合、“ＩＭＧ＿０１０１．ＪＰＧ”から順方向に再生する。
【００３８】
ステップＳ１７では、通常再生の逆方向送りでファイルを再生する。この場合、“ＩＭＧ＿０３００．ＪＰＧ”から逆方向に再生する。
【００３９】
なお、ステップＳ１６で未再生画像ファイルも再生した場合は、未再生画像優先再生モードとの整合をとるために、ステップＳ１６の後に、ステップＳ１４の更新処理を行うようにしてもよい。
【００４０】
以上説明したように、本実施形態によれば、未再生画像ファイルの解析を行い、未再生画像ファイルだけの再生と従来の全画像ファイルの再生とを選択でき、未再生画像ファイルだけを素早く再生することが可能になる。
【００４１】
（第２の実施形態）
上記第１の実施形態では、未再生画像優先再生モードにおいて、全ての未再生画像を、古い順から優先して再生するようにした。
【００４２】
しかし、全ての未再生画像ファイルを優先して再生させたいと望むユーザがいる一方で、より最近のファイルのなかでの未再生画像ファイルを優先して再生させたいと望むユーザもいる。ここで「最近」の定義は、ユーザの好みや目的に応じて様々である。
【００４３】
本実施形態では、ユーザ毎に優先再生できる画像ファイルの範囲を決めることができ、さらに撮影の度に履歴情報を更新できるようにする。
【００４４】
図１０は、本実施形態における、未再生画像再生優先モードの詳細設定画面を示す図である。未再生画像再生優先モードを選択する場合に、優先再生するファイル数を全てとするか、最新画像から５００枚までとするか、１００枚とするか、５０枚とするか、を指定することができる。
【００４５】
図１１は、撮像モードにおける、履歴ファイル“Ｐｌａｙｈｉｓ．ｔｍｐ”の更新処理を説明するフローチャートである。
【００４６】
まず、システムコントローラ７は、ステップＳ２０において、スイッチＳＷ０７により撮影モードへの移行後、スイッチＳＷ０６の押下されることによる再生モードへの移行がないかを監視する。また、ステップＳ２１において、スイッチＳＷ０１を押下されることによる撮像指示がなされるか否かを監視する。
【００４７】
ここで、ステップＳ２１においてスイッチＳＷ０１の押下があったと判断した場合、システムコントローラ７は、撮像部１を用いた撮影を制御し、得られた画像のリムーバブルメディア６への記録処理を制御する（Ｓ２２）。また、新しく記録するファイルに“ＩＭＧ＿０３０１．ＪＰＧ”と名付け、図２のファイル管理情報に追加する。
【００４８】
次に、ステップＳ２３において、システムコントローラ７は、図１０の詳細設定において、ファイル数“全て”が指定されているか否かを判断する。ここで“全て”が指定されておらず、具体的なファイル数が指定されていれば、履歴ファイル“Ｐｌａｙｈｉｓ．ｔｍｐ”の更新を行う。
【００４９】
たとえば、図１０でファイル数“５０”が指定されていた場合、“ＩＭＧ＿０３０１．ＪＰＧ”の５０ファイル前の“ＩＭＧ＿０２５１．ＪＰＧ”に更新する。
【００５０】
ステップＳ２３において、ファイル数“全て”が指定されていると判断した場合は、“Ｐｌａｙｈｉｓ．ｔｍｐ”の更新は行わない。
【００５１】
以上の更新処理を行い、さらに、スイッチＳＷ０１の操作があった場合（ステップＳ２１）は、再び更新処理を行い（ステップＳ２３）、“Ｐｌａｙｈｉｓ．ｔｍｐ”に“ＩＭＧ＿０２５２．ＪＰＧ”を書き込む。
【００５２】
ステップＳ２０で、スイッチＳＷ０６の押下されたと判断した場合は、システムコントローラ７は、動作モードを再生モードに移行させる（ステップＳ２５）。そして、ステップＳ２４で履歴の更新処理がされていた場合は、その更新処理により書き込まれたファイルの次のファイル（ＩＭＧ＿０２５２．ＪＰＧ、ＩＭＧ＿０２５３．ＪＰＧ等）から再生を行うようにする。再生モードでの再生方法の詳細は第１の実施形態で述べたものと同様であり、この５０ファイル内で各ファイルが再生される度にその履歴情報は更新される。
【００５３】
また、撮影モードで更新処理がされていない、すなわち図１０で“全て”が設定された状態で撮像されていた場合は、撮影モードに移行する前の履歴情報に基づく再生を行う。すなわち、第１の実施形態で説明した“ＩＭＧ＿０２０６．ＪＰＧ”からの再生を行う。
【００５４】
以上のように、本実施形態では、ユーザの好みや目的に応じて、優先再生させるファイル数を指定するができ、その範囲内で再生履歴に基づく再生を行うことができる。
【００５５】
また、撮像により新しく画像が記録されることを契機として自動的に履歴情報も更新されるので、ユーザは余計な操作を強いられることなく、常に指定した範囲での最近の記録画像を再生できるようになる。
【００５６】
以上、特定の説明用の実施形態を参照して本発明を説明したが、特許請求の範囲に規定される本発明の技術的範囲を逸脱しないで、上述の実施例に種々の変更・修整を施しうることは、本発明の属する技術分野の技術者にとって自明であり、このような変更・修整も本発明の技術的範囲に含まれる。
【図面の簡単な説明】
【００５７】
【図１】本発明に係る画像再生装置の概略構成を示すブロック図を示す。
【図２】メモリ６に書き込まれたディレクトリ、ファイル及びテンポラリファイルの構成例を示す。
【図３】テンポラリファイル内の構成例を示す。
【図４】未再生画像の優先再生を設定する設定画面を示す１つめの図である。
【図５】未再生画像の優先再生を設定する設定画面を示す２つめの図である。
【図６】未再生画像の優先再生を設定する設定画面を示す３つめの図である。
【図７】未再生画像の優先再生を設定する設定画面を示す４つめの図である。
【図８】第１の実施形態における、装置起動後の再生動作フローチャートである。
【図９】第１の実施形態における、画像送り再生時の再生動作フローチャートである。
【図１０】未再生画像の優先再生を設定する設定画面を示す５つめの図である。
【図１１】第２の実施形態における、撮像モードの動作フローチャートである。
【符号の説明】
【００５８】
１  撮像部
２  画像信号処理部
３  モニタ
４  圧縮伸長部
５  メモリーカードインターフェース
６  リムーバブルメモリ
７  システムコントローラ
８  スイッチ部
【図１】
2006060778.tif 000003
【図２】
2006060778.tif 000004
【図３】
2006060778.tif 000005
【図４】
2006060778.tif 000006
【図５】
2006060778.tif 000007
【図６】
2006060778.tif 000008
【図７】
2006060778.tif 000009
【図８】
2006060778.tif 000010
【図９】
2006060778.tif 000011
【図１０】
2006060778.tif 000012
【図１１】
2006060778.tif 000013